(57)【特許請求の範囲】
【請求項１】
下記段階で構成される補強リムを有するタイヤの製造方法：
1)  軸方向に延びた少なくとも１つの折り返しメンブレン(2)をタイヤのリムを収容するリム収容溝(6)の外側に有する成形ドラムを用い、
2)  この成形ドラム上で、タイヤ素材を構成するリムの補強材を含むカーカススリーブをほぼ円筒形に配置して形成し、
3)  両側のリム収容溝(6)を互いに接近させることによって、両側のリム収容溝(6)の間にあるカーカススリーブの部分(Ｍ)を半径方向に膨張させてほぼトロイダルの形状とし、
4)  折り返しメンブレン(2)のリム収容溝(6)の所に対応する軸線方向内側端部と、子午線方向で折り返しメンブレン(2)の予め選択された箇所で折り返しメンブレン(2)を拘束して折り返しメンブレン(2)に一時的な支持力を与え、且つ、少なくともドラムと同心な直径が可変な拘束円に沿って折り返しメンブレン(2)と当接する拘束手段(11)との間の折り返しメンブレン(2)の半径方向外側壁の少なくとも一部に有効表面を区画し、
5)  折り返しメンブレン(2)を膨張させて軸線方向運動と半径方向運動とを組み合わせた運動を拘束手段(11)に起こさせ、折り返しメンブレン(2)の表面に対して子午線方向を不動にした折り返しメンブレン(2)の一時的支持部と折り返しメンブレン(2)の内側端部との間の折り返しメンブレン(2)の有効表面の外観と変形量とを連続的に制御しながら、拘束円の移動ストロークに沿った拘束円の軸線方向の任意位置で有効表面を拘束円よりも放射方向で高い位置へドーム形状に突起させる。
【請求項２】
拘束手段(11)の半径方向移動および軸線方向移動とを組み合わせた運動の作用で両方のリム収容溝(6)の軸線方向内側にあるカーカススリーブの上記部分(Ｍ)と折り返しメンブレン(2)とが接線状に接する点が半径方向外側に移動する間に、各リム収容溝(6)より軸線方向外側の折り返しメンブレン(2)の子午線方向の輪郭曲線の半径が連続的に小さくなる請求項１に記載の方法。
【請求項３】
互いに同心で軸線方向に相対移動可能な２つの円筒形の半ドラムを有し、各半ドラムの軸線方向の最も遠い端部は少なくとも１つの環状の折り返しメンブレン(2)で被われ、この折り返しメンブレン(2)は無圧力状態で種々のタイヤ構成要素が載置されるほぼ円筒形の外側表面を形状し、リム収容溝(6)の半径方向下側にリム固定手段(1)を有する、タイヤの成形機械において、
1)  リム収容溝(6)より軸線方向外側で折り返しメンブレン(2)と組み合わされた拘束手段(11)を有し、この拘束手段(11)は半ドラムと同心で直径が可変な少なくとも１つの拘束円の所で力を加えて、折り返しメンブレン(2)を子午線方向の所定位置で拘束し且つ折り返しメンブレン(2)のリム収容溝(6)の位置に対応する折り返しメンブレン(2)の軸線方向内側端部と拘束手段(11)との間の折り返しメンブレン(2)の半径方向外側壁上に有効表面を区画し、さらに、
2)  折り返しメンブレン(2)が拘束手段(11)に対して子午線方向に滑動するのを防ぐ手段と、
3)  拘束手段(11)に軸線方向の移動と半径方向の移動とを組み合わせた移動をさせて、拘束手段(11)上での折り返しメンブレン(2)の支持点の軸線方向および半径方向の位置を常に調節する駆動手段と、
を有し、
4)  各折り返しメンブレン(2)の拘束手段はリム収容溝(6)より外側で扇状に開く羽根(11)の組立体で構成され、この羽根(11)の組立体は膨張した状態で折り返しメンブレン(2)の円周方向全体を被う
ことを特徴とする機械。
【請求項４】
羽根(11)の組立体が金属で作られている請求項３に記載の機械。
【請求項５】
各半ドラム上で各羽根(11)が可動クラウン(13)に連結されており、可動クラウン(13)は、羽根(11)を駆動するフレーム(18)と同心で且つフレーム(18)とに対して軸線方向に移動可能である請求項３または４に記載の機械。
【請求項６】
各羽根(11)が可動クラウン(13)上の関節点(17)を中心として可動なレバー(16)に固定されており、このレバー(16)が所定の輪郭形状を有するカム(15)と接触し、各カム(15)の半径方向外側面にフレーム(18)と同心な隆起部(150) を有する請求項３〜５のいずれか一項に記載の機械。
【請求項７】
クラウン(13)が隆起部(150) に対して軸線方向に移動でき、隆起部(105) はフレーム(18)に対して軸線方向に移動できるようになっている請求項６に記載の機械。
【発明の詳細な説明】
【０００１】
【産業上の利用分野】
本発明は空気タイヤの製造方法および装置に関するものであり，特に、ドラム上でタイヤを組み立てる方法および装置に関するものである。
【０００２】
【従来の技術】
当該分野ではいわゆる「成形」ドラム (tambours conformants) が知られている。この成形ドラムはドラム上に設けられたタイヤリムの収容部を互いに接近させる手段と、ドラム上で作られたタイヤ素材(ebauche) の全部または一部分を放射状に拡大させる手段とを組み合わせたものである。
【０００３】
この形式の成形ドラム上でのタイヤ製造の第１段階は、ドラムの外側表面上にタイヤ構造で要求される順番で未加硫のゴムをベースとした混合物あるいは未加硫化のゴムをベースとした混合物で被覆したコード、ケーブル等の補強要素を含む多数の半加工品を巻き付けることにによって、ほぼ円筒形のカーカススリーブを製造する段階である。
【０００４】
次の段階は、タイヤリムのビードワイヤをカーカススリーブを乗せ、ドラムに成形されたリム収容溝に入れ、ビードワイヤの放射方向下側にあるカーカススリーブの部分を放射状に膨張して、ビードワイヤの下側の部分をブロックする。次に、両方のリム収容溝を軸方向に互いに接近させながら両側のリム収容溝の間にあるカーカススリーブの部分を放射状に変形させてトロイダルの形にする段階である。ビードワイヤの下側のカーカススリーブを締付ける作業は、ビードワイヤに対するカーカススリーブの相対移動を完全に防止できるものでなければならない。
【０００５】
上記の放射方向への変形移動は、例えば、軸線方向内側の２つのリム収容溝の間の成形ドラムを被っているゴムのメンブレンを膨張させて行うことができる。このメンブレンの空気を抜いた時にの形状はほぼ円筒形で、タイヤの構成要素はこの円筒形表面上に取付けることができる。
【０００６】
第２段階とほぼ同時に、軸線方向最外側にあるカーカススリーブの部分を成形ドラムの一部を成す手段を用いて放射方向外側へ膨張させ、リム収容溝の間にあるカーカススリーブの膨張した部分を徐々に平らにする。
以上の操作すなわち最初にタイヤリムを取付け、次にタイヤのサイドウォールを形成する操作は「折り返し(retroussage) 」操作とよばれる。
【０００７】
米国特許第 4,683,021号に記載のタイヤ成形ドラムでは、軸線方向最外側にあるカーカススリーブの部分の折り返しを寸法の小さいリム形成用の第１メンブレンの膨張で行い、次いで、第１メンブレンを包った寸法がさらに大きな第２メンブレンを最も外側のサイドウォール点まで放射状に膨張させてタイヤのサイドウォールを形成し、２つのメンブレンの軸線方向外側にはさらに別のメンブレンを設け、各折り返しメンブレンに軸線方向内向きの力を加えてサイドウォールの最も外側の部分を放射状に取付けるようになっている。
【０００８】
しかし、この方法では確実にリムを製造することはできない。すなわち、この折り返しメンブレンでは軸線方向に十分な力を加えられないため、リム部に空気が残るは避けられない。これはタイヤ使用時の耐久性を悪くすることが明らかである。また、この方法でのタイヤのサイドウォールを形成するゴムベースの素材の折り返し作業は、成形ドラムの対称軸から半径方向の最も遠い点の半径がメンブレンを膨張した時のタイヤサイドウォールの半径方向最も外側の点の半径に少なくとも等しいような寸法のメンブレンを使用する必要がある。その結果、空気を抜いた状態のメンブレン上に配置された素材は、折り返し段階中にそれらがメンブレンの半径方向最外側の点に対して膨張したメンブレンと全く同じ側に来た時に、リムの方へ向かって半径方向内側に滑り落ちる傾向がある。その結果、タイヤのサイドウォールに取付けた素材の位置が大きく乱れ、場合によってはタイヤの耐久性に好ましくない影響を与える皺が発生する。
【０００９】
米国特許第 2,435,345号に記載の成形ドラムでは、各端部に１つの折り返しメンブレンを用い、各メンブレンに軸方向の力を加える手段を用いてタイヤリムとサイドウォールとを同時に作っている。しかし、この特許の外側メンブレンはその形状から、タイヤトレッドとの接合区域まで折り返される素材の耐久性を上記の特許の場合以上に良くすることはできない。また、軸線方向の押圧手段の占める空間が大きいことは工業的には不都合である。
【００１０】
【発明が解決しようとする課題】
本発明の目的は、成形ドラム上のほぼ円筒形の表面上に乗せたタイヤ素材を折り返す方法を改良して、タイヤ素材を正確に取付けることができるようにすることにある。
【００１１】
【課題を解決するための手段】
本発明は下記の段階で構成される補強リムを有するタイヤの製造方法を提供する：
1)  軸方向に延びた少なくとも１つの折り返しメンブレンをタイヤのリムを収容するリム収容溝の外側に有する成形ドラムを用い、
2)  この成形ドラム上で、タイヤ素材を構成するリムの補強材を含むカーカススリーブをほぼ円筒形に配置・形成し、
3)  両側のリム収容溝を互いに接近させることによって、両側のリム収容溝の間にあるカーカススリーブの部分を半径方向に膨張させてほぼトロイダルの形状とし、
4)  折り返しメンブレンのリム収容溝の所に対応する軸線方向内側の端部と、子午線方向で折り返しメンブレンの予め選択された箇所で折り返しメンブレンを拘束して折り返しメンブレンに一時的な支持力を与え且つ少なくともドラムと同心な直径が可変な拘束円に沿って折り返しメンブレンと当接する拘束手段との間の折り返しメンブレンの半径方向外側壁の少なくとも一部に有効表面を区画し、
5)  折り返しメンブレンを膨張させて軸線方向運動と半径方向運動とを組み合わせた運動を拘束手段に起こさせ、折り返しメンブレンの表面に対して子午線方向を不動にした折り返しメンブレンの一時的支持部と折り返しメンブレンの内側端部との間の折り返しメンブレンの有効表面の外観と変形量とを連続的に制御しながら、拘束円の移動ストロークに沿った拘束円の軸線方向の任意位置で有効表面を拘束円よりも放射方向で高い位置へドーム形状に突起させる。
【００１２】
本発明は、さらに、上記方法を実施するためのタイヤの製造機械を提供する。本発明のタイヤの製造機械は、互いに同心で軸線方向に相対移動可能な２つの円筒形の半ドラムを有し、各半ドラムの軸線方向の最も遠い端部は少なくとも１つの環状の折り返しメンブレンで被われ、この折り返しメンブレンは無圧力状態で種々のタイヤ構成要素が載置されるほぼ円筒形の外側表面を形状し、リム収容溝の半径方向下側にリム固定手段を有する、タイヤの成形機械において、
1)  リム収容溝より軸線方向外側で折り返しメンブレンと組み合わされた拘束手段を有し、この拘束手段は半ドラムと同心で直径が可変な少なくとも１つの拘束円の所で力を加えて、折り返しメンブレンを子午線方向の所定位置で拘束し且つ折り返しメンブレンのリム収容溝の位置に対応する折り返しメンブレンの軸線方向内側端部と拘束手段との間の折り返しメンブレンの半径方向外側壁上に有効表面を区画し、さらに、
2)  折り返しメンブレンが拘束手段に対して子午線方向に滑動するのを防ぐ手段と、
3)  拘束手段に軸線方向の移動と半径方向の移動とを組み合わせた移動をさせて、拘束手段上での折り返しメンブレンの支持点の軸線方向および半径方向の位置を常に調節する駆動手段と、
を有し、
4)  各折り返しメンブレンの拘束手段はリム収容溝より外側で扇状に開く羽根の組立体で構成され、この羽根の組立体は膨張した状態で折り返しメンブレンの円周方向全体を被うことを特徴としている。
【００１３】
【作用】
「有効表面」とは、軸線方向最外側のカーカススリーブ素材を乗せることができるリム収容溝の軸線方向外側にある折り返しメンブレンの半径方向外側壁の部分を意味する。この有効表面に対応する折り返しメンブレンの軸線に沿った外側の部分は拘束円によって制限される。この有効表面によってタイヤ素材の放射方向膨張と両方のリムの間にあるカーカススリーブの部分へのタイヤ素材の取付けとが確実に行われる。
拘束円のストロークの有効部分とは拘束円のストロークの大部分に対応し、特に、折り返された素材の重量的に無視し得ない部分が折り返しメンブレン上に支持されている部分である。
【００１４】
折り返しメンブレンの拘束手段の半径方向移動および軸線方向移動とを組み合わせた運動の作用で、両方のリム収容溝の軸線方向内側にあるカーカススリーブの部分と折り返しメンブレンとが接線状に接する点が半径方向外側に移動する間に、各リム収容溝より軸線方向外側の折り返しメンブレンの子午線方向の輪郭曲線の半径が連続的に小さくなくすることができる。
【００１５】
折り返しメンブレンの拘束手段の半径方向移動と軸方向移動とを組み合せた移動は、折り返し作業の大部分の間、折り返される素材の軸線方向最外側端部が折り返しメンブレンの半径方向最外側の点から軸線までの距離より小さい半径の円上に位置するように調節される。折り返し作業の大部分とは作業の終りを除く上記作業のほぼ全体を意味する。場合によっては作業の終りも含まれる。すなわち作業の終りで折り返しメンブレンによって支持されているだけで下のタイヤ素材に接着していないタイヤ素材の重量は上記の通り十分に小さくなり、現在の技術状態では無視できる。
【００１６】
本発明では、カーカススリーブの両方のリム収容溝の間の部分の上にリム収容溝の軸線方向外側のあるカーカススリーブの部分を折り反し、押圧してリムを形成するので、リムを構成する各種の材料の間に空気が残るのを防止することができる。
【００１７】
さらに本発明によると、リム収容溝より軸線方向外側にあるカーカススリーブの部分を、両方のリム収容溝の軸線方向内側にあるカーカススリーブの部分の半径方向の最も外側の点まで、両方のリム収容溝の軸線方向内側にあるカーカススリーブの部分の上に反り返らせ、押付けることができる。本発明では、放射方向に膨張したリム収容溝の軸線方向外側にあるカーカススリーブの部分の上に軸線方向成分と半径方向成分との力を常に連続的に加えることができるので、サイドウォールを構成する材料を放射方向内側に滑るのを防止しながらリムに近い区域からサイドウォールの高い区域へ向かって徐々に折り返すことができる。
【００１８】
より正確には、本発明方法では、リム収容溝の軸線方向外側のカーカススリーブの膨張した部分に加わる軸線方向成分と半径方向成分からなる力の強さをタイヤの製造サイクル毎に任意に変更・調節することができる。
【００１９】
本発明の別の利点は、折り返しメンブレンを収縮させてほぼ円筒形の形に戻した後に、折り返しメンブレンの外側表面上に別のタイヤ構成要素を乗せ、次いで本発明の方法を用いてそのタイヤ構成要素を折り返すことができる点にある。特に、繊維やケーブル等で補強されていないゴムの各種混合物で構成されたタイヤ構成要素は、折り返しメンブレンを一度膨張させた後でも、折り返しメンブレンに沿って半径方向内側へ向かって落ちること無しに、容易に折り返すことができる。
以下、添付図面を参照し本発明の実施例を説明するが、以下の説明は本発明の原理と利点とを明瞭にするためのもので、本発明が下記実施例に限定されるものではない。
【００２０】
【実施例】
本発明方法では折り返しメンブレンの外側壁の一部に有効表面を区画し、ドラム上で少なくとも１つの同心円上に作用する拘束手段を用いてこの有効表面の膨張時の輪郭形状を規制することによって、リム収容溝より軸線方向外側にあるカーカススリーブの部分の折り返し状態をより良く制御することができる。
【００２１】
第１図は本発明方法を実施するためのタイヤの製造機械の軸線方向の部分断面図で、この図は初期の停止状態を示している。
このタイヤの製造機械は回転軸線ＡＡ（図５）を有する成形用の２つの半ドラムを有し、各半ドラムは回転軸線ＡＡを有する中心シャフト上を移動可能なフレーム18に支持されて、図示していない装置によって中心シャフトに沿って対称な運動をするようになっているのが好ましい。
【００２２】
各半ドラムは２つの部分２、２’で構成される環状のメンブレン（膜、ブラダー）を有している。このメンブレンの外側壁は、カーカススリーブの各種構成要素を設置する表面の役目をし、２つの部分２、２’を連結する連結区域にはリムの収容溝６が形成されている。このリム収容溝６はタイヤのリムを収容する。メンブレンの部分２はこのリム収容溝６から軸線方向外側にあり、メンブレンの部分２’はこのリム収容溝６から軸線方向内側にある。
図示した実施例ではメンブレンはゴムをベースとする混合物で作られ、軸線方向に沿って並べた繊維またはケーブル等の補強材で補強されている。
【００２３】
メンブレンの一端部３はリム収容溝６の軸線方向内側でフレーム18に固定されており、リム収容溝６の軸線方向外側にあるその他端部４は可動クラウン12に固定されている。可動クラウン12はドラムのフレーム18と同心で且つフレーム18に対して相対移動することができる。リム収容溝６の半径方向下側にはリム収容溝６の軸線方向位置を決める手段１と、少なくとも１つのビードワイヤ５上にスリーブが放射方向からブロックされるまで、スリーブを放射方向に膨張させる手段１’とが配置されている。
【００２４】
各折り返しメンブレン２の上には金属の羽根11の集合体からなる拘束手段が配置されている。金属の羽根11は「扇」状に開くことができ、円周方向では、膨張した状態でも、折り返しメンブレン２全体を覆っており（図４を参照）、軸線方向では折り返しメンブレン２の軸線方向の最も外側の端部４からの一部分のみを被っている。
折り返しメンブレン２の「有効表面」とは、折り返しメンブレン２の羽根11の集合体で被われていない部分をいい、羽根11の軸線方向に最内側端部とリム収容溝６との間の折り返しメンブレン２の一部に対応する。
【００２５】
各羽根11は各半ドラム上で可動クラウン13に連結され、可動クラウン13によって駆動される。可動クラウン13はフレーム18と同心で且つフレーム18に対して軸線方向に移動可能になっている。可動クラウン13が軸線方向に移動する間は可動クラウン13はクラウン12と一体になる。従って、メンブレン２の端部４は、羽根11に対してそのメンブレン２の子午線方向に滑動しせずに、クラウン13を介して羽根11に加わる軸線方向の運動に従って移動する。
【００２６】
図示した実施例では、各羽根11が、クラウン13上の関節軸17を中心として回転可能なレバー16に固定されている。このレバー16は所定の輪郭形状を有するカム15と接触している。図示した例では、各レバー16の軸線方向の最外端部に設けられたカムローラ (ころ) 14を介してカム15と接触している。カム15の半径方向外側表面にはフレーム18と同心な隆起部 150が形成されている。このカム15はフーム18に対して相対移動することができる。
【００２７】
メンブレン２に圧力が加わると、羽根11は放射方向に開かれ、レバー16が関節軸17を中心として回転され、カムローラ14は隆起部 150と接触する。羽根11の開き角度が一定の場合、羽根11の軸線上の位置とメンブレン２の有効表面の形状を変えることによって、折返される素材に作用する力の軸線方向成分を変えることができる。すなわち、隆起部 150に対する羽根11が固定されているクラウン13の相対位置を移動させることによって、羽根11がメンブレン２に加える変形量を変更することができる。
【００２８】
図示した本発明機械の軸線方向の最外側端部の各々には、フレーム18に対して軸線方向に移動可能な２つの同心環状ピストン７、８（図１〜３の半径方向断面図を参照）が設けられている。ピストン８の軸線方向の最内側端部はクラウン12と13に連結されていて、リム収容溝６に対して羽根11と折り返しメンブレン２の端部４とを同時に軸線方向に移動させることができる。ピストン８を作動させることによって羽根11を支持したクラウン13を隆起部 150に対して軸線方向に移動させることができる。ピストン７はピストン８および隆起部 150を軸線方向へ移動させる役目をする。このピストン７のストロークはネジ山を有するロッド９の固定ナット10によって調節することができる。
【００２９】
メンブレン２の膨張によって起こる羽根11の回動運動は隆起部 150に対するクラウン13の軸線方向移動と、隆起部 150（レバー16の接点はこの隆起部 150上を移動する）の輪郭形状とに関連する。この隆起部150 の半径方向外側母線の輪郭形状は、隆起部150 に対してクラウン13が軸線方向に移動した時にカムローラ14が隆起部150 の輪郭形状に沿って移動することによって、レバー16（従って羽根11）を半径方向に正確に開かせるような形状になっている。
図示した機械には、さらに、ピストン７が軸線方向に移動した時に２つの半ドラムを互いに接近させる手段（図示せず）が軸線方向最外側のドラム両端部に設けられている。
【００３０】
図２はリムの形成時に対応するタイヤ製造の一つの段階を示している。この段階では、スリーブの両方のリム収容溝６の間にある部分Ｍの内側に圧力を加えながら両方のリム収容溝６を軸線方向に互いに接近させることによって、この部分Ｍを半径方向に膨張させてトロイダルの形にする。これと同時にメンブレン２’を膨張させることによって、スリーブのリムの近傍とリムの軸線方向内側にある部分とに力（この力の軸線方向成分は外側を向いている）を加える。これと同時にメンブレン２を膨張させて、スリーブのリム収容溝６より軸線方向外側にある部分Ｆを折り返す。このメンブレンの２の作用で羽根11は関節点17を中心として回転しながら半径方向外側へ開く。そして、カムローラ14が隆起部150 と接触すると羽根11の開く運動が停止する。従って、メンブレン２の有効表面の外観が完全に決まる。次に、ピストン７を軸線方向内側へ移動させると、ピストン８と隆起部 150とが駆動され、羽根11も駆動される。こうして、メンブレン２の有効部分が折返される素材へ加える力の軸線方向の成分はメンブレン２’に加わる力の成分の反対となり、リムを形成するのに十分な力である。
【００３１】
次の段階（図３）はサイドウォールを製造する段階である。この段階では、ピストン８を作動させてクラウン13を隆起部 150に対して軸線方向へ移動させ、カムローラ14を隆起部 150の輪郭形状に沿って移動させる。その結果、羽根11は扇状に少しづつ開き且つ軸線方向へ移動する。ピストン８のこの作用によって折り返しメンブレン２の有効表面の形は徐々に変化し、タイヤのサイドウォール素材の取付けがより良好に行われれる。
【００３２】
折り返す素材または素材の一部のタイヤのサイドウォールの最も高い部分は、作業の大部分の間、メンブレン２の半径方向の最も外側の点Ｈ (これは折り返す素材がメンブレン２に対して滑らずに持ち上げられてできる反転部である) の両側に維持されるという点は重要である。従って、折り返す素材の位置は、それらがサイドウォール上に最終的に取付けられるまで完全に制御することができ、従って、タイヤでのこれら素材の理論寸法を守ることができる。
【００３３】
当然ながら、任意の時点で、メンブレン２を完全に収縮させて有効表面をほぼ円筒形とし、その上に未加硫のゴムをベースとした少なくとも１つの別の素材を乗せた後、再度、上記の折り返し作業を行うこともできる。
【００３４】
図４はクラウン13と、扇状に開いた羽根11の集合体とを示した斜視図である。各羽根11が扇状に開いた時には、各々の羽根が円周方向に互いに相対的に滑動して羽根の重複部分は小さくなる。この場合、メンブレン２の有効部分の形を完全に制御することができるようにするために、各羽根11が完全に開いた後でも各羽根11が互いに重複するような寸法を羽根11は有している。
【００３５】
以下、タイヤ製造時の本発明の折り返し方法を〔図５〕〜〔図９〕に示す一連の段階で説明する。なお、軸線ＡＡは成形ドラムの回転軸線である。
〔図５〕は成形用の２つの半ドラムの初期状態を示している。カーカススリーブは各ドラムを被っている各メンブレンの外壁上に形成される。
【００３６】
〔図６〕はカーカススリーブが製造された後に、カーカススリーブ上にリムのビードワイヤを取付け、次いで、カーカススリーブを最初に半径方向へ膨張させて、カーカススリーブとビードワイヤとを一体化させる段階を示している。この段階では、この最初の膨張を抑えることができるリムの補強材（この役目は最終的にトロイダル部分を区画するカーカスコードの長さを正確な寸法にすることにある。ここではビードワイヤの役割である）をカーカススリーブに付けることが必要である。
次に、両方のリム収容溝６を軸線方向に互いに接近させると同時に、リム収容溝の両側のメンブレン２、２’を膨張させて、両方のリム収容溝６の間にあるスリーブの部分Ｍをトロイダル形状に膨張させる。この段階では、羽根11の開度は製造すべきタイヤの寸法の関数で予め決定された一定値に制限される。
【００３７】
〔図７〕は両方のリム収容溝６を軸線方向に互いに接近させ、両側の羽根11を軸線方向を互いに接近させて、リムに軸線方向の力を加えてリムを確実に形成する段階である。この段階で、タイヤのトレッド補強材Ｓを取付ける。このトレッド補強材Ｓの両端は図示していないが適当な手段でカーカススリーブの部分Ｍ上に取付ける。
【００３８】
〔図８〕はサイドウォール形成の開始段階である。この段階では、羽根11を徐々に開くとともに両側の羽根11を軸線方向に互いに接近させることによって折り返しメンブレンの有効表面の外観を変え、各折り返しメンブレン２の有効部分上に乗った素材Ｆを折り返す。
〔図９〕はタイヤのサイドウォール形成の最終段階であり、羽根11は完全に回動され且つ軸線方向に移動している。
【００３９】
本発明はカーカススリーブの成形ドラムに限定されるものではなく、別のドラム上で作ったカーカススリーブを心出しするための成形ドラムとして用いることもできる。
本発明を用いたサイドウォールの形成は、成形したカーカススリーブの中央部の上にタイヤトレッドを構成する要素を配置する前に行って後に行ってもよい。
【００４０】
また、上記手段と異なる手段を中央部分に有する上記以外の任意の構造のドラムに本発明は応用できる。特に、メンブレン２’の代わりにリムを形成するための剛体要素を有する機械的手段を用いることができ、また、空気圧を補助的に用いた機械的手段でカーカススリーブの両方のリム収容溝の間の部分をトロイダル形状にすることもできる。本発明の対象は、リム収容溝より外側のドラム部分である。
【図面の簡単な説明】
【図１】  本発明のタイヤの製造機械の片側の縦方向断面図で、折り返し段階の一工程を示している。
【図２】  折り返し段階の別の工程を示す図１と類似の図。
【図３】  折り返し段階のさらに別の工程を示す図１と類似の図。
【図４】  折り返しメンブレンの接合手段の斜視図。
【図５】  本発明のタイヤ製造段階の一工程での軸線方向断面図。
【図６】  別の工程を示す図５と類似の図。
【図７】  さらに別の工程を示す図５と類似の図。
【図８】  さらに別の工程を示す図５と類似の図。
【図９】  さらに別の工程を示す図５と類似の図。
【符号の説明】
２  折り返しメンブレン                    ５．ビートワイヤ
６  リム収容溝                            ７、８  ピストン
11  羽根                                  12、13  クラウン
15  カム                                  16  レバー
17  関節点                                18  フレーム
150   隆起部
【図１】
0003650843.tif 000002
【図２】
0003650843.tif 000003
【図３】
0003650843.tif 000004
【図４】
0003650843.tif 000005
【図５】
0003650843.tif 000006
【図６】
0003650843.tif 000007
【図７】
0003650843.tif 000008
【図８】
0003650843.tif 000009
【図９】
0003650843.tif 000010